(57)【要約】【課題】電気光学装置のフレキシブル配線基板を容易かつ確実に位置決めできるように構成することで、接続端子の位置に対する検査や修正作業を不要にできる電気光学装置の構成を実現する。【解決手段】本発明の電気光学装置１０は、電気光学パネル１３と、該電気光学パネルを保持する保持枠１１と、前記電気光学パネルに接続されたフレキシブル配線基板１５とを具備し、フレキシブル配線基板は、保持枠の外縁部１１ｂ上を通過して保持枠の外側へ延在し、外側に配置される接続端子１５ｅを備えた外方延在部１５ｄを有し、外縁部には、外方延在部の通過位置を示す通過位置表示マーク１１ｘが形成され、外方延在部には、保持枠の外縁部上に配置されるべき対応位置を示す対応位置表示マーク１５ｙが形成されている。【選択図】図１
2008275815.tif 000002
【特許請求の範囲】
【請求項１】
電気光学パネルと、該電気光学パネルを保持する保持枠と、前記電気光学パネルに接続されたフレキシブル配線基板と、を具備する電気光学装置であって、
前記フレキシブル配線基板は、前記保持枠の外縁部上を通過して前記保持枠の外側へ延在し、該外側に配置される接続端子を備えた外方延在部を有し、
前記外縁部には、前記外方延在部の通過位置を示す通過位置表示マークが形成され、
前記外方延在部には、前記保持枠の前記外縁部上に配置されるべき対応位置を示す対応位置表示マークが形成されていることを特徴とする電気光学装置。
【請求項２】
前記フレキシブル配線基板は、前記電気光学パネルに接続された接続部から導出して、前記電気光学パネル及び前記保持枠の背面側に曲げられ、該背面側から前記外方延在部が前記外縁部を越えて外側へ延在していることを特徴とする請求項１に記載の電気光学装置。
【請求項３】
前記外方延在部は、前記外縁部の側面上を前記保持枠の厚み方向に延在する領域を有していることを特徴とする請求項１に記載の電気光学装置。
【請求項４】
前記通過位置表示マークは、前記外縁部に形成された凹部若しくは凸部で構成されることを特徴とする請求項１乃至３のいずれか一項に記載の電気光学装置。
【請求項５】
前記外縁部には前記外方延在部を収容する凹部が設けられ、前記通過位置表示マークは前記凹部の両側に設けられた段差で構成されることを特徴とする請求項１乃至３のいずれか一項に記載の電気光学装置。
【請求項６】
前記対応位置表示マークは、前記外方延在部に形成された平面パターンで構成されることを特徴とする請求項１乃至５のいずれか一項に記載の電気光学装置。
【請求項７】
前記対応位置表示マークは、前記外方延在部に形成された切り欠き部若しくは開口部で構成されることを特徴とする請求項１乃至５のいずれか一項に記載の電気光学装置。
【請求項８】
請求項１乃至７のいずれか一項に記載の電気光学装置と、該電気光学装置の制御手段とを搭載したことを特徴とする電子機器。
【発明の詳細な説明】
【技術分野】
【０００１】
本発明は電気光学装置及び電子機器に係り、特に、電気光学装置を外部に接続するための端子部を備えた装置の構造に関する。
【背景技術】
【０００２】
一般に、液晶表示パネルにフレキシブル配線基板を接続し、このフレキシブル配線基板の接続端子を外部のコネクタ等に接続することで、当該フレキシブル配線基板を通して外部より電源電位や表示信号を入力し、液晶表示パネルを動作させるように構成した電気光学装置が知られている（たとえば、以下の特許文献１参照）。
【０００３】
この場合、フレキシブル配線基板は可撓性を有するため、フレキシブル配線基板の接続端子の位置に或る程度の自由度が生じることから、当該接続端子部を携帯電話等の電子機器の内部に設置されるコネクタ類に容易に接続することが可能となっている。
【特許文献１】特開平１０−２０９５８１号公報
【発明の開示】
【発明が解決しようとする課題】
【０００４】
しかしながら、近年の携帯電話、携帯型情報端末、携帯型音再生機などの小型化、薄型化は著しく、これらの携帯型電子機器の内部に上記電気光学装置を搭載する場合には、電気光学装置にも小型化、薄型化が要求されることは勿論のこと、電気光学装置と電子機器内部のコネクタとの接続部分が収容される空間も極めて小さくなってきているため、電気光学装置の上記接続端子に高い位置精度が要求される。
【０００５】
従来においては、電気光学装置を位置決めする冶具上に目盛を形成し、この目盛で接続端子の位置を検査することで、製品の良否を確認していた。しかしながら、電気光学装置を一つ一つ冶具にセットして接続端子の位置を検査するのは極めて煩雑であり、また、検査において接続端子の位置不良が確認されるとフレキシブル配線基板の位置を修正しなければならないため、製造効率の向上が妨げられるという問題点がある。
【０００６】
そこで、本発明は上記問題点を解決するものであり、電気光学装置のフレキシブル配線基板を容易かつ確実に位置決めできるように構成することで、接続端子の位置に対する検査や修正作業を不要とすることができる電気光学装置の構成を実現することにある。
【課題を解決するための手段】
【０００７】
斯かる実情に鑑み、本発明の電気光学装置は、電気光学パネルと、該電気光学パネルを保持する保持枠と、前記電気光学パネルに接続されたフレキシブル配線基板と、を具備する電気光学装置であって、前記フレキシブル配線基板は、前記保持枠の外縁部上を通過して前記保持枠の外側へ延在し、該外側に配置される接続端子を備えた外方延在部を有し、前記外縁部には、前記外方延在部の通過位置を示す通過位置表示マークが形成され、前記外方延在部には、前記保持枠の前記外縁部上に配置されるべき対応位置を示す対応位置表示マークが形成されていることを特徴とする。
【０００８】
この発明によれば、保持枠の外縁部に設けられた通過位置マークとフレキシブル配線基板に設けられた対応位置マークを用いることで、フレキシブル配線基板の外方延在部を保持枠の外縁部に対して正規の位置に対応させることができるため、フレキシブル配線基板の接続端子を保持枠に対して容易かつ確実に位置決めすることができるとともに、フレキシブル配線基板が正規の位置に設定されていることを極めて容易に確認することができる。したがって、別途の検査工程及び当該検査に伴う修正工程をも不要とすることができるため、製造効率を高めることが可能になる。特に、通過位置表示マークと対応位置表示マークとが同方向に見て同時に視認できるように構成することで、フレキシブル配線基板が正規の位置に設定されていることの確認が一目瞭然となる。
【０００９】
なお、上記の外方延在部は保持枠の外縁部上を通過して外側へ延在すればよいが、この「外縁部上を通過して」とは、当該外縁部の前面、側面、背面のいずれかの上を通過していればよいことを意味する。
【００１０】
本発明において、前記フレキシブル配線基板は、前記電気光学パネルに接続された接続部から導出して、前記電気光学パネル及び前記保持枠の背面側に曲げられ、該背面側から前記外方延在部が前記外縁部を越えて外側へ延在していることが好ましい。この場合には、電気光学パネル及び保持枠の背面側にフレキシブル配線基板の一部を重ねて配置することができるので、フレキシブル配線基板上に電子部品等を実装する場合には装置の小型化・薄型化を妨げずに基板面積を容易に確保することができ、また、前記電気光学パネル及び前記保持枠の背面側から周囲のどの方向へも外方延在部を導出させることができるので、フレキシブル配線基板の接続端子の平面的位置を自由に設定することも可能になる。
【００１１】
本発明において、前記外方延在部は、前記外縁部の側面上を前記保持枠の厚み方向に延在する領域を有している場合もある。この場合には、外方延在部が保持枠の厚み方向に延在する領域を有することで、電気光学パネル及び保持枠と平面的に重なる領域内にフレキシブル配線基板を配置しなくてもよい。
【００１２】
本発明において、前記通過位置表示マークは、前記外縁部に形成された凹部若しくは凸部で構成されることが好ましい。特に、通過位置表示マークを容易に形成する上で上記凹部若しくは凸部が保持枠と一体に構成されることが望ましい。
【００１３】
本発明において、前記外縁部には前記外方延在部を収容する凹部が設けられ、前記通過位置表示マークは前記凹部の両側に設けられた段差で構成されることが好ましい。これによれば、フレキシブル配線基板の外方延在部が凹部に収容されるため、フレキシブル配線基板の配置が容易になるとともに装置の薄型化を図りやすくなる。
【００１４】
本発明において、前記対応位置表示マークは、前記外方延在部に形成された平面パターンで構成されることが好ましい。特に、対応位置表示マークがフレキシブル配線基板の構成要素の一部、たとえば、電気光学パネルに対する実装時に用いるアライメントマークと同じ層の一部で構成されたり、配線パターンの一部で構成されていたりすることが望ましい。
【００１５】
前記対応位置表示マークは、前記外方延在部に形成された切り欠き部若しくは開口部で構成されることが好ましい。これによれば、フレキシブル配線基板の外形を形成する際に同時に形成できるとともに、外方延在部の表面態様如何に拘らず、確実に当該マークの視認性を確保できる。
【００１６】
次に、本発明の電子機器は、上記のいずれかに記載の電気光学装置と、該電気光学装置の制御手段とを搭載したことを特徴とする。このような電子機器としては、電気光学装置を表示体として備え、上記制御手段を表示制御回路として備えた表示機能付き電子機器が挙げられる。また、本発明の電気光学装置は電子機器の小型化、薄型化に有用であることから、携帯電話、携帯型情報端末などの携帯型電子機器であることが特に効果的である。
【発明を実施するための最良の形態】
【００１７】
［第１実施形態］
次に、添付図面を参照して本発明の実施形態について詳細に説明する。図１は本発明に係る実施形態の背面図、図２は図１のII−II線に沿っだ断面を示す縦断面図、図３は同実施形態のフレキシブル配線基板の位置決め前の様子を示す背面展開図である。
【００１８】
本実施形態の電気光学装置１０は、好ましくは白色樹脂等で一体成形されてなる保持枠１１と、この保持枠１１の収容部１１ａ内に保持された照明体１２と、保持枠１１の収容部１１ａ内に同様に保持され、照明体１２の前面側に配置された電気光学パネル１３とを備えている。ここで、電気光学パネル１３としては液晶表示パネルを想定しているが、たとえば、有機ルミネッセンスパネル等の他の電気光学パネルであってもよい。また、当該有機ルミネッセンスパネル等の自発光型表示パネルの場合には照明体１２を省略することも可能である。
【００１９】
照明体１２は、図示例の場合、ＬＥＤ等の光源１２ａと、この光源１２ａの光を導入して電気光学パネル１３側に出射する導光板１２ｂと、導光板１２ｂの背後に配置された反射シート１２ｃと、光源１２ａを実装する光源基板１２ｄとを有している。なお、導光板１２ｂと電気光学パネル１３との間には光拡散板、集光板などの光学シートが必要に応じて適宜介挿される。
【００２０】
電気光学パネル１３は、ガラスやプラスチック等よりなる第１基板１３ａ及び第２基板１３ｂが図示しないシール材等を介して貼り合わされ、その間に液晶等の電気光学物質が配置されたものである。第１基板１３ａの端部には第２基板１３ｂより外側へ張り出してなる基板張り出し部が設けられ、当該基板張り出し部上に配線１３ｃ及び１３ｄが形成されている。なお、電気光学パネル１３には必要に応じて偏光板等の他の構成も設けられるが、図示を省略している。配線１３ｃ及び１３ｄには駆動回路を構成する半導体チップ１４が実装されている。なお、当該半導体チップ１４は他の回路構成によれば省略することもできる。
【００２１】
上記第１基板１３ａの基板張り出し部上にはフレキシブル配線基板１５のパネル接続部１５ａが実装され、上記配線１３ｄにフレキシブル配線基板１５の配線パターンが導電接続されている。フレキシブル配線基板１５は、正規の取付姿勢（電気光学装置が実際に電子機器に組み込まれた状態のフレキシブル配線基板の取付姿勢）において、上記基板張り出し部上から保持枠１１の外縁部１１ｂの前面上を通過し、側面上を厚み方向に延在する折り曲げ部１５ｂを経て、保持枠１１の背後に回りこみ、保持枠１１、照明体１２及び電気光学パネル１３の背面上に配置される背面配置部１５ｃに至るように構成される。背面配置部１５ｃには、上記光源基板１２ｄが接続されている。背面配置部１５ｃからは帯状の外方延在部１５ｄが保持枠１１の外縁部１１ｂを越えて外方に延在している。外方延在部１５ｄの先端には、保持枠１１の外側に配置された接続端子部１５ｅが形成されている。接続端子部１５ｅは、複数の接続端子が配列され、図示しない電子機器のコネクタ等に接続可能に構成される。
【００２２】
なお、図示例において、保持枠１１の外縁部１１ｂの一部の側面には凹部１１ｃが設けられ、この凹部１１ｃにフレキシブル配線基板１５の上記折り曲げ部１５ｂが収容されるように配置される。これによって保持枠１１の外側に折り曲げ部１５ｂが突出することを防止でき、電気光学装置１０の小型化を図ることができる。
【００２３】
保持枠１１の外縁部１１ｂの背面上には、上記フレキシブル配線基板１５の外方延在部１５ｄが通過する位置に通過位置表示マーク１１ｘ、１１ｘが形成されている。この通過位置表示マーク１１ｘは、保持枠１１の外縁部１１ｂにおいて上記外方延在部１５ｄが通過する正規の位置（フレキシブル配線基板１５が上記正規の取付姿勢にあるときの外方延在部１５ｄが通過する位置）を表示するものである。図示例の場合、通過位置表示マーク１１ｘは帯状の外方延在部１５ｄの幅方向両縁にそれぞれ対応する位置に線状に（両縁の幅方向外側に隣接して伸びる態様で）設けられている。通過位置表示マーク１１ｘは保持枠１１の外縁部の背面上に形成された罫書き線、印刷層、凹溝、凸条（リブ）などで適宜に設けることができる。特に、保持枠１１と一体に形成された凹部（凹溝）若しくは凸部（凸条）で構成されることが好ましい。なお、上記外方延在部１５ｄと平面的に重なる位置に、外方延在部１５ｄと嵌合するボス（凸部）や穴（凹部）で構成されていても構わない。
【００２４】
また、フレキシブル配線基板１５の外方延在部１５ｄには、保持枠１１の外縁部１１ｂに沿って伸びる対応位置表示マーク１５ｙが形成されている。この対応位置表示マーク１５ｙは、外方延在部１５ｄが保持枠１１の外縁部１１ｂに対応する正規の位置（フレキシブル配線基板１５が上記正規の取付姿勢にあるときの保持枠１１の外縁部１１ｂに対応する位置）を表示するものである。図示例の場合、対応位置表示マーク１５ｙは、保持枠１１の外縁部１１ｂの背面のうち外側の端縁上に重なる位置に線状に設けられている。対応位置表示マーク１５ｙは外方延在部１５ｄの背面上に形成された罫書き線、印刷層などで適宜に設けることができる。特に、フレキシブル配線基板１５の既存の配線パターン、印刷層の一部で形成されたパターン部で構成されることが好ましい。なお、上記保持枠１１の外縁部１１ｂと平面的に重なる位置に、通過位置表示マークとして形成されたボス（凸部）や穴（凹部）と嵌合する開口部や凸部で構成されていても構わない。また、対応位置表示マーク１５ｙは図示にように外方延在部１５ｄの全幅にわたり形成されず、幅方向の一部範囲のみに形成されていてもよい。
【００２５】
本実施形態では、電気光学パネル１３にフレキシブル配線基板１３を実装した後、保持枠１１の収容部１１ａ内に電気光学パネル１３を収容することで、図３に示す状態とされる。この展開状態からフレキシブル配線基板１５を背面側に折り曲げることで図１及び図２に示す折り曲げ部１５ｂが形成されるとともに、上記背面配置部１５ｃが保持枠１１、照明体１２及び電気光学装置１３の背面上に配置され、上記外方延在部１５ｄが保持枠１１の外縁部１１ｂを越えて外側へ伸び、上記接続端子部１５ｅが保持枠１１の外側に配置される。このとき、上記通過位置表示マーク１１ｘを用いることでフレキシブル配線基板１５の図１に示すＸ方向の位置を合わせることができ、上記対応位置表示マーク１５ｙを用いることでフレキシブル配線基板１５の図１に示すＹ方向の位置を合わせることができる。ただし、本発明においては、上記Ｘ方向及びＹ方向の位置決めが結果的に行われればよいので、上記のように通過位置表示マーク１１ｘと対応位置表示マーク１５ｙとがそれぞれＸ方向とＹ方向の位置決めを担当している必要はなく、両位置表示マーク１１ｘ、１５ｙによってフレキシブル配線基板の接続端子部１５ｅの平面的な位置決めがなされるようになっていればよい。
【００２６】
上記のフレキシブル配線基板１５の位置決めは、接続端子部１５ｅの保持枠１１に対する位置、すなわち、図示Ｘ方向の突出位置ＥＸと、図示Ｙ方向の突出量ＥＹとが規定の値に対して許容範囲内に設定されるように行われる。図示例の場合には、外方延在部１５ｄが図示Ｙ方向に沿って延在するように構成されているので、上記突出位置ＥＸ及び突出量ＥＹとによって接続端子部１５ｅの位置が設定されるが、本発明はこのような態様に限らず、通過位置表示マーク１１ｘと対応位置表示マーク１５ｙによって接続端子部１５ｅの平面位置が特定されるように構成されていればよい。
【００２７】
その後、フレキシブル配線基板１５が保持枠１１や照明体１２の背面上に両面接着テープ等の固定手段１６ａ、１６ｂを介して接着固定される。固定手段１６ａは折り曲げ部１５ｂ又は背面配置部１５ｃを固定するもので、固定手段１６ｂは外方延在部１５ｄを固定するためのものである。図示例において、固定手段１６ｂは外方延在部１５ｄを保持枠１１の外縁部１１ｂに直接固定している。なお、固定手段は両面接着テープに限らず、溶着部分、接着剤による接着部分、嵌合による嵌め込み部分など、種々の手段或いは構造で構成できる。
【００２８】
本実施形態では、通過位置表示マーク１１ｘ及び対応位置表示マーク１５ｙが設けられていることにより、製造工程においてフレキシブル配線基板１５を極めて容易に位置決めすることができる。また、本実施形態では通過位置表示マーク１１ｘと対応位置表示マーク１５ｙとが同方向に（背面側から）見て同時に視認できるように構成されていることで、フレキシブル配線基板が正規の位置に設定されていることの確認が一目瞭然となる。したがって、上記製造工程後の検査工程が不要になるとともに、検査工程における不良発見時に行われるフレキシブル配線基板１５の位置修正工程をも省くことができる。
【００２９】
図４は通過位置表示マーク１１ｘの一例を示す拡大部分断面図である。この通過位置表示マーク１１ｘは、保持枠１１の外縁部１１ｂに凸条（リブ状の凸部）に構成されている。これによって、通過位置表示マーク１１ｘが単に表示マークとして機能するだけでなく、フレキシブル配線基板１５の外方延在部１５ｄを機械的に規制する機能をも併せ持つことになる。なお、図示例では、一対の通過位置表示マーク１１ｘ、１１ｘの間隔が外方延在部１５ｄの幅よりやや広く形成されているが、一対の通過位置表示マーク１１ｘ、１１ｘの内側に外方延在部１５ｄがぴったりと嵌合するように構成してもよい。
【００３０】
図５は通過位置表示マーク１１ｘの別の例を示すものである。この例では、外方延在部１５ｄの通過する平面範囲に凹部１１ｄが形成され、通過位置表示マーク１１ｘは、当該凹部１１ｄの段差で構成されている。なお、図示例では、凹部１１ｄの幅が外方延在部１５ｄの幅よりやや広く形成されているが、当該凹部１１ｄに外方延在部１５ｄがぴったりと嵌合するように構成してもよい。
【００３１】
図６は、対応位置表示マーク１５ｙの構成例を示す拡大平面図（ａ）乃至（ｃ）である。図６（ａ）に示す例では、対応位置表示マーク１５ｙは外方延在部１５ｄの幅方向全体にわたり線状に構成されている。一方、図６（ｂ）に示す対応位置表示マーク１５ｙは外方延在部１５ｄの幅方向両側に分離してそれぞれ形成されている。
【００３２】
図６（ｃ）に示す例では、対応位置表示マーク１５ｙは、外方延在部１５ｄに設けられた切り欠き部で構成されている。この切り欠き部は、外方延在部１５ｄの両端縁からそれぞれ内側に切り込まれた形状を有している。なお、図６（ｃ）に点線で示すように、対応位置表示マーク１５ｙを外方延在部１５ｄの内部に開口部として形成してもよい。なお、対応位置表示マーク１５ｙを開口部で構成した場合には、フレキシブル配線基板１５の樹脂基材で開口部を構成し、基板内に設けられた配線パターンが開口部内をそのまま通過するように、或いは、開口部を避けて通過するように構成してもよい。
【００３３】
［第２実施形態］
図７は別の実施形態のフレキシブル配線基板１５のパネル接続部１５ａの近傍を拡大して示す拡大部分縦断面図、図８はフレキシブル配線基板１５の延在方向から見た様子を示す側面図である。なお、この実施形態のフレキシブル配線基板１５以外の部分については、先に説明した図１乃至図３に示す構造と同様に構成できるので、同一部分には同一符号を付し、当該部分の説明は省略する。
【００３４】
本実施形態では、図７に示すように、フレキシブル配線基板１５は、正規の取付姿勢において、第１基板１３ａの基板張り出し部上に実装されたパネル接続部１５ａから保持枠１１の外縁部１１ｂの前面上を通過し、ここで背面側に折り曲げられて外縁部１１ｂの側面上を保持枠１１の厚み方向に延在している。本実施形態の場合、保持枠１１の外縁部１１ｂの側面上に配置される部分が外方延在部１５ｄとなっている。この外方延在部１１ｄは先端側で外側にさらに折り曲げられ、保持枠１１より離間する方向に伸び、その先端に接続端子部１５ｅが設けられている。
【００３５】
この例では、図８に示すように、保持枠１１の外縁部１１ｂの側面上であって、外方延在部１１ｄの通過位置の幅方向両側に通過位置表示マーク１１ｓ、１１ｓが形成され、また、外方延在部１１ｄの上記外縁部１１ｂの側面上に配置される部分の幅方向両縁部にそれぞれ対応位置表示マーク１５ｔ、１５ｔが形成されている。したがって、これらの通過位置表示マーク１１ｓ、１１ｓと対応位置表示マーク１５ｔ、１５ｔとを合わせることで、フレキシブル配線基板１５の幅方向の位置及び上下方向の位置を規定できる。
【００３６】
また、フレキシブル配線基板１５はその先にて折り曲げられて接続端子部１５ｅに達するように構成されているが、当該折り曲げ部分の位置を規定するために、保持枠１１に通過位置表示マーク１１ｕ、１１ｕを設け、フレキシブル配線基板１５に対応位置表示マーク１５ｖ，１５ｖを設けてもよい。
【００３７】
この実施形態では、フレキシブル配線基板１５は保持枠１１の外縁部１１ｂの側面上に両面接着テープ等の固定手段１６によって固定される。なお、フレキシブル配線基板１５の折り曲げ部分が折り曲げられていない状態でも、上記マーク１１ｓ、１５ｔを合わせることで外方延在部１５ｄの幅方向及び長さ方向の位置が定まっていれば、フレキシブル配線基板１５を正規の取付姿勢となるようにしたときに、外方延在部１５ｄの接続端子部１５ｅの最終位置は正規の位置に設定され得る。
【００３８】
［電子機器］
最後に、上述した各実施形態に係る電気光学装置を電子機器に搭載してなる実施形態に説明する。この電子機器は、上記電気光学装置１０を表示部に搭載してなる電子機器であり、図９は、電子機器における電気光学装置１０に対する制御系（表示制御系）の全体構成を示す概略構成図である。ここに示す電子機器は、表示情報出力源２９１と、表示情報処理回路２９２と、電源回路２９３と、タイミングジェネレータ２９４と、バックライト１２への電力供給を行う光源制御回路２９５とを含む表示制御回路２９０を有する。また、電気光学装置（液晶表示装置）１０には、上述の構成を有する電気光学パネル１３と、この電気光学パネル１３を駆動する駆動回路（半導体チップ）１４と、電気光学パネル１３を照明するためのバックライト（照明体）１２とが設けられている。この駆動回路１４は、上記のように電気光学パネル１３に直接実装されている電子部品で構成されるが、上記のような態様の他に、電気光学パネル１３の基板表面上に形成された回路パターン、或いは、電気光学パネル１３に導電接続された回路基板、上記の配線基板（フレキシブル配線基板）１５などの他の電子部品上に実装された半導体ＩＣチップ若しくは回路パターンなどによっても構成することができる。
【００３９】
表示情報出力源２９１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ２９４によって生成された各種のクロック信号に基づいて、所定フォーマットの画像信号等の形で表示情報を表示情報処理回路２９２に供給するように構成されている。
【００４０】
表示情報処理回路２９２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路１４へ供給する。駆動回路１４は、走査線駆動回路、信号線駆動回路及び検査回路を含む。また、電源回路２９３は、上述の各構成要素にそれぞれ所定の電圧を供給する。
【００４１】
光源制御回路２９５は、電源回路２９３から供給される電圧に基づいてバックライト１２の光源に電力を供給し、所定の制御信号に基づいて光源の点灯の有無及びその輝度等を制御するようになっている。
【００４２】
図１０は、本発明に係る電子機器の一実施形態である携帯電話機を示している。ここに示す携帯電話機１００は、複数の操作ボタン、送話口などを備えた操作部１０１と、受話口などを備えた表示部１０２とを有し、表示部１０２の内部に上記の電気光学装置１０が組み込まれてなる。そして表示部１０２の表面（内面）上に電気光学装置１０の表示領域を視認することができるようになっている。この場合、携帯電話機１００の内部には、上記電気光学装置１０を制御する上記の表示制御回路２９０が設けられる。この表示制御回路２９０は電気光学装置１０の表示態様を決定する。
【００４３】
また、本発明に係る電子機器としては、図１０に示す携帯電話機の他に、液晶テレビ、カーナビゲーション装置、ページャ、電子手帳、電卓、ワークステーション、テレビ電話、ＰＯＳ端末機などが挙げられる。そして、これらの各種電子機器の表示部として本発明に係る電気光学装置（液晶表示装置）を用いることができる。
【００４４】
尚、本発明は、上述の図示例にのみ限定されるものではなく、本発明の要旨を逸脱しない範囲内において種々変更を加え得ることは勿論である。例えば、上記の実施形態においては、電気光学パネルの例示として液晶表示パネルを備えた液晶表示装置について説明したが、本発明は、液晶表示装置に限らず、有機エレクトロルミネッセンス表示装置や電気泳動表示装置などの他の電気光学装置であっても構わない。
【図面の簡単な説明】
【００４５】
【図１】第１実施形態の電気光学装置の背面図。
【図２】第１実施形態の電気光学装置の縦断面図。
【図３】第１実施形態の電気光学装置のフレキシブル配線基板を展開した様子を示す背面展開図。
【図４】異なる通過位置表示マークの例を示す拡大断面図。
【図５】さらに異なる通過位置表示マークの例を示す拡大断面図。
【図６】別の対応位置表示マークの例を示す拡大部分平面図（ａ）乃至（ｃ）。
【図７】第２実施形態のフレキシブル配線基板及びその実装部近傍を示す拡大部分縦断面図。
【図８】第２実施形態の側面図。
【図９】電子機器の表示制御系を示す概略構成図。
【図１０】電子機器の概略斜視図。
【符号の説明】
【００４６】
１０…電気光学装置、１１…保持枠、１１ａ…収容部、１１ｂ…外縁部、１１ｘ…通過位置表示マーク、１２…照明体、１３…電気光学パネル、１４…半導体チップ（集積回路）、１５…フレキシブル配線基板、１５ａ…パネル接続部、１５ｂ…折り曲げ部、１５ｃ…背面配置部、１５ｄ…外方延在部、１５ｅ…接続端子部、１５ｙ…対応位置表示マーク、１６…固定手段
【図１】
2008275815.tif 000003
【図２】
2008275815.tif 000004
【図３】
2008275815.tif 000005
【図４】
2008275815.tif 000006
【図５】
2008275815.tif 000007
【図６】
2008275815.tif 000008
【図７】
2008275815.tif 000009
【図８】
2008275815.tif 000010
【図９】
2008275815.tif 000011
【図１０】
2008275815.tif 000012